(57)【特許請求の範囲】
【請求項１】
遊技媒体を使用して遊技を行う遊技機が複数台設置された遊技場用に設けられ、前記各遊技機側から出力される遊技信号に基づいて遊技機の管理を行う遊技場用管理装置において、
遊技機での遊技に使用された遊技媒体数を特定可能な使用媒体信号、遊技機から払い出された遊技媒体数を特定可能な払出媒体信号、及び遊技機の遊技領域に設けられた始動口への入賞数或いは当該始動口への入賞に基づいて動作する役物の動作回数を特定可能な始動信号のうちの少なくとも１つを前記遊技信号として受信する受信手段と、
この受信手段が受信する遊技信号に対応した遊技情報が異常であるか否かの判定対象となる点検項目について、異常判定基準を特定可能な判定値を記憶する異常設定記憶手段と、
前記受信手段が受信する遊技信号と、前記異常設定記憶手段が記憶する判定値により特定される異常判定基準とに基づいて、予め定められた異常判定時期になったときに当該異常判定時期と対応する点検項目についての異常が発生したか否かの異常判定動作を行うと共に、異常発生したと判定したときにその判定結果を出力する異常報知動作を遊技機毎に行う異常判定手段と、
所定の点検項目と対応付けた状態で予め設定された点検項目を要因点検項目として記憶する要因設定記憶手段と、
前記異常判定手段が、前記要因点検項目について異常発生した旨の判定を行った状態において、上記異常発生した要因点検項目と対応付けた状態で前記要因設定記憶手段に記憶されている点検項目について異常発生した旨の判定を行った場合に、その点検項目に係る異常判定動作を抑制する制御、異常報知動作を抑制する制御及び当該異常報知動作と異なる態様の補助報知動作を行う制御のうちの少なくとも１つの制御を誤判定回避制御として実行する動作制御手段と、
を備えたことを特徴とする遊技場用管理装置。
【請求項２】
前記異常判定手段により前記点検項目について異常発生した旨の判定が行われたことを前提条件として所定の遅延動作を行う遅延手段を備え、
前記動作制御手段は、前記遅延手段の遅延動作に応じたタイミングで前記誤判定回避制御を終了することを特徴とする請求項１記載の遊技場用管理装置。
【請求項３】
請求項２記載の遊技場用管理装置において、
前記点検項目に係る異常判定動作に利用される遊技信号の受信状態に基づいて当該異常判定動作の終了条件が成立したか否かを判定する終了条件判定手段を備え、
前記遅延手段は、前記異常判定手段により前記点検項目について異常発生した旨の判定が行われたこと、並びに、当該点検項目についての異常判定動作の終了条件が成立した旨の判定が前記終了条件判定手段において行われたことの双方を前提条件として遅延動作を開始し、当該遅延動作の開始後に、所定の遅延時間が経過した場合、或いは所定の遊技信号を前記受信手段が受信した場合に前記遅延動作を終了することを特徴とする遊技場用管理装置。
【請求項４】
前記受信手段が遊技信号を受信する毎に当該遊技信号により特定される遊技情報を前記異常判定手段による異常判定動作に使用するために順次蓄積する記憶領域を備えた情報記憶手段を備え、
前記動作制御手段は、前記誤判定回避制御が終了したときに、前記情報記憶手段の記憶領域のうち、当該誤判定回避制御の対象となった点検項目が要因点検項目として設定されている点検項目に係る記憶領域を初期化する制御を実行することを特徴とする請求項１ないし３の何れかに記載の遊技場用管理装置。
【請求項５】
前記異常判定手段が前記点検項目について異常発生した旨の判定を行う毎に、当該異常の内容を特定可能な異常データを含む異常発生履歴データを記憶するデータ記憶手段を備え、
このデータ記憶手段は、前記異常発生履歴データを記憶する場合に、前記誤判定回避制御の対象となった点検項目に係る異常データを前記異常発生履歴データから除外する処理、或いは前記異常発生履歴データ中の他の異常データと識別可能な状態で記憶する処理を実行することを特徴とする請求項１ないし４の何れかに記載の遊技場用管理装置。
【発明の詳細な説明】
【技術分野】
【０００１】
本発明は、遊技媒体を使用して遊技を行う遊技機を管理するための遊技場用管理装置に関する。
【背景技術】
【０００２】
パチンコホールのような遊技場には、場内のパチンコ遊技機から受信する種々の遊技情報（セーフ玉数（払出玉数）を示すセーフ信号、アウト玉数（打込玉数）を示すアウト信号、大当たり中であることを示す大当たり信号など）に基づいて、遊技機のデータ管理やセキュリティ管理などを行う遊技場用管理装置が設置されている。従来、このような管理装置においては、その管理機能の向上を目的として、遊技機からの遊技情報の受信状態に基づいて、各種の点検項目についての異常状態（遊技情報の送信を担う種々の配線の断線やコネクタ外れなどの異常、遊技機に付属した機器の動作トラブル、遊技客による不正行為に基づいた異常など）を検出して報知することが行われている（例えば特許文献１参照）。
【特許文献１】特開２００４−８１５６４号公報
【発明の開示】
【発明が解決しようとする課題】
【０００３】
従来の遊技場用管理装置では、特定の点検項目に係る異常状態の検出時において、その異常状態の解消操作を原因として他の点検項目に係る異常状態を誤って検出してしまう事態、つまり異常状態の検出精度が低下するという事態が多々発生し、これに伴って遊技場従業員の負担が大きくなるという問題点があった。
【０００４】
具体的には、例えば、パチンコ遊技機から回収するパチンコ玉（アウト玉）が、その回収装置の一部にて詰まるというトラブル（所謂玉詰まり）が発生した場合、管理装置側では、遊技機の稼動を検出できているにも関わらずアウト信号を受信できない状態になり、このような検出要件が満たされたことに基づいてアウト玉詰まりが発生したことを検出する。また、パチンコ遊技機に供給するパチンコ玉（セーフ玉）が、その補給装置の一部などで詰まるというトラブルが発生した場合、アウト信号により示される所定の稼働継続時間内においてセーフ信号により示されるセーフ玉数が所定個数以下の状態が発生するものであり、管理装置側では、このような検出要件が満たされたことに基づいてセーフ玉詰まりが発生したことを検出することになる。
【０００５】
例えば、管理装置によりアウト玉詰まりが検出されて報知された場合、その報知内容を認識した遊技場従業員は、回収装置での玉詰まりを解消するために現場へ出向くことになるが、その解消操作が行われたときには、それまで玉詰まり状態にあった大量のパチンコ玉に相当するアウト信号が短時間のうちに管理装置へ送信されることになる。すると、管理装置が受信するアウト信号とセーフ信号との関係が、セーフ玉詰まりに係る前述の検出要件を満たした状態になるため、当該管理装置においては、セーフ玉詰まりが発生していない状態においても、セーフ玉詰まりが発生したものと誤検出してしまうことになる。
【０００６】
このような異常状態の誤検出及びこれに伴い行われる異常報知動作は、回収装置でのアウト玉詰まりを解消するために出向いた遊技場従業員にしてみれば余分な煩わしい事象と感ずるものであり、また、異常報知動作に気づいた他の従業員にとっても、その報知内容により示されるセーフ玉詰まりの解消に出向くか否かを検討する必要が生じ、場合によっては無意味な点検のために現場まで出向く必要が生ずるなど、結果として遊技場従業員の負担増を招く恐れが大きくなる。
【０００７】
上記のような誤検出、つまり異常状態の検出精度の低下は、他の点検項目間でも種々発生することになり、これにより遊技場従業員の負担がさらに増えてしまうという事情がある。また、管理装置において、複数種類の点検項目に係る異常状態の発生履歴をデータ管理する構成とした場合、その履歴データ中に、誤検出された異常状態に係る記録がランダムに紛れ込むことになり、その結果、当該履歴データの解析時において、本来重要視すべき異常状態の発生に対する注意度が低くなる可能性があり、データ管理上においても好ましくない。
【０００８】
本発明は上記のような事情に対処しようとするものであり、遊技機に設定された点検項目についての異常状態検出精度を向上させることで、遊技場従業員の負担軽減を実現可能になると共に、複数種類の点検項目に係るデータの管理を行う上でも有益となる遊技場用管理装置を提供することを目的とする。
【課題を解決するための手段】
【０００９】
請求項１記載の遊技場用管理装置によれば、受信手段が、遊技機での遊技に使用された遊技媒体数を特定可能な使用媒体信号、遊技機から払い出された遊技媒体数を特定可能な払出媒体信号、及び遊技機の遊技領域に設けられた始動口への入賞数或いは当該始動口への入賞に基づいて動作する役物の動作回数を特定可能な始動信号のうちの少なくとも１つを遊技信号として受信するようになる。異常設定記憶手段には、上記遊技信号に対応した遊技情報が異常であるか否かの判定対象となる点検項目について、異常判定基準を特定可能な判定値が記憶されている。
【００１０】
異常判定手段は、前記受信手段が受信する遊技信号と、前記異常設定記憶手段が記憶する判定値により特定される異常判定基準とに基づいて、予め定められた異常判定時期になったときに当該異常判定時期と対応する点検項目についての異常が発生したか否かの異常判定動作を行うと共に、異常発生したと判定したときにその判定結果を出力する異常報知動作を遊技機毎に行う。
【００１１】
要因設定記憶手段には、所定の点検項目と対応付けた状態で予め設定された点検項目が要因点検項目として記憶されており、動作制御手段は、前記異常判定手段が、前記要因点検項目について異常発生した旨の判定を行った状態において、その要因点検項目と対応付けた状態で前記要因設定記憶手段に記憶されている点検項目について異常発生した旨の判定を行った場合に、当該点検項目に係る異常判定動作を抑制する制御、異常報知動作を抑制する制御及び当該異常報知動作と異なる態様の補助報知動作を行う制御のうちの少なくとも１つの制御を誤判定回避制御として実行するようになる。
【００１２】
この場合、前記要因点検項目と対応付けた状態で記憶する点検項目は、当該要因点検項目に係る異常が発生した場合に異常状態の発生を正常に検出できなくなる点検項目に設定することができる。このような設定状態とした場合、要因点検項目に係る異常が発生した場合には、その異常発生を誘因として誤検出が行われることになる点検項目については、異常判定手段において異常発生があった旨の判定が行われたとしても、その点検項目に係る異常判定動作が抑制されるか、若しくはその判定結果を出力する異常報知動作が抑制されるか、若しくは通常時の異常報知動作と異なる態様の補助報知動作が行われることになる。つまり、要因点検項目と予め対応付けられた点検項目については、その要因点検項目に係る異常が発生したときに実際に異常が発生していないにも拘らず異常判定手段において異常が発生したと誤検出される恐れがなくなる。
【００１３】
このようにして誤検出が防止される結果、遊技機の管理のために必要となる点検項目についての異常状態の検出精度が向上するようになり、これにより遊技場従業員が無意味な点検のために現場まで出向く事態の発生を抑制できるようになるから、その負担軽減を実現可能になる。また、複数種類の点検項目に係る異常状態の発生履歴をデータ管理する構成しようとする場合、誤検出された点検項目については、異常状態が実際に発生した点検項目と識別可能なデータとして記憶可能になるから、その履歴データ中に誤検出された異常状態に係る記録がランダムに紛れ込む恐れがなくなる。この結果、当該履歴データの解析を正確に行い得るようになり、複数種類の点検項目に係るデータの管理を行う上でも有益となる
請求項２記載の遊技場用管理装置によれば、要因点検項目について異常発生したと判定された状態においては、遅延手段の遅延動作に応じたタイミングで前記動作制御手段による誤判定回避制御の実行状態が終了されることになる。これにより、要因点検項目に係る異常状態の解消操作を行っている期間においても誤判定回避制御の実行が可能になり、また、所定期間の遊技情報の集計についての異常判定を行う場合であっても、別途要因に基づく異常な遊技情報を排除した状態で異常発生の有無を判定可能になるから、点検項目についての異常状態の検出精度が向上するようになる。
【００１４】
請求項３記載の遊技場用管理装置によれば、前記遅延手段による遅延動作の開始条件として、前記点検項目に係る異常判定動作に利用される遊技信号の受信状態に基づいて当該異常判定動作の終了条件が成立したか否かを判定する終了条件判定手段の判定結果が加味される。また、このように開始された遅延動作は、所定の遅延時間が経過した場合、或いは所定の遊技信号を前記受信手段が受信した場合に終了される。これらの結果、点検項目についての異常状態の検出精度を一段と向上させ得るようになる。
【００１５】
請求項４記載の遊技場用管理装置によれば、誤判定回避制御が終了したときには、異常判定動作に使用するための遊技情報を記憶した情報記憶手段の記憶領域のうち、当該誤判定回避制御の対象となった点検項目が要因点検項目として設定されている点検項目に係る記憶領域が初期化されるから、上記異常判定動作が誤って行われる事態を未然に防止できるようになる。
【００１６】
請求項５記載の遊技場用管理装置によれば、点検項目についての異常内容を特定可能な異常データを含む異常発生履歴データ中から、誤判定回避制御の対象となった点検項目（つまり、要因点検項目での異常発生を誘因として誤検出が行われた点検項目）に係る異常データが除外された状態、或いは、当該異常発生履歴データ中に、誤判定回避制御の対象となった点検項目に係る異常データが他の異常データと識別可能な状態で記憶されるから、その異常発生履歴データに基づいた異常内容の解析を無駄なく且つ精度良く行うことが可能となり、また、実際に発生した異常内容、並びに要因点検項目での異常発生を誘因として誤検出が行われた点検項目を含んだ詳細な異常発生状態の解析を行う場合に有益となる。
【発明を実施するための最良の形態】
【００１７】
以下、本発明の一実施例について図面を参照しながら説明する。
図１には遊技場（パチンコホール）における遊技システムの概略的構成が示されている。
図１において、多数台ずつ設置されたパチンコ遊技機１及び台間玉貸機２は、互いに隣接して配置されており、パチンコ遊技機１の上方には呼出ランプユニット３が設けられている。
【００１８】
パチンコ遊技機１は、所謂デジパチとして周知構成のものであり、遊技媒体であるパチンコ玉を使用しての遊技中において、盤面１ａ（遊技領域に相当）に設けられたスタート入賞口１ｂ（始動口に相当）への入賞に応じて行われる抽選機能により大当たりに当選したときに、その大当たりの内容に応じて、入賞確率を大幅に高めた大当たり状態を呈する。尚、大当たり状態となったときには、盤面１ａに設置された大入賞口１ｃ（役物に相当）が所定期間だけ動作するものであり、これに応じて入賞率が極端に高められる構成となっている。また、盤面１ａには、抽選結果の表示を含む種々の演出表示を行うため表示ユニット１ｄが設けられている。
【００１９】
パチンコ遊技機１には、これに付随してアウト玉回収装置及びセーフ玉補給装置（何れも図示せず）が設置されており、アウト玉回収装置からは、アウト玉数（打込玉数）を示すアウト信号（使用媒体信号に相当）が出力され、セーフ玉補給装置からは、セーフ玉数（払出玉数）を示すセーフ信号（払出媒体信号に相当）が出力される構成となっている。また、パチンコ遊技機１は、スタート入賞口１ｂへの入賞数を示すスタート信号（始動信号に相当）、大当たり状態にあることを示す大当たり信号などを出力するように構成されている。尚、大当たり信号は、パチンコ遊技機１が大当たり状態にある期間中を通じて出力されるレベル信号である。また、スタート信号に代えて、表示ユニット１ｄでの抽選結果の表示回数を特定可能な信号を始動信号として利用したり、パチンコ遊技機１から直接的に出力されるアウト信号や、セーフ信号を利用する構成としても良い。
【００２０】
台間玉貸機２は、例えば、現金の投入に応じてパチンコ玉を放出する機能の他に、大当り回数や大当り確率などの台データを付属モニタ２ａで表示する機能などを備えたものである。尚、台間玉貸機２から放出されるパチンコ玉は、隣接したパチンコ遊技機１の上皿１ｅへノズル２ｂを介して供給されるようになっている。また、台間玉貸機２は、現金による売上（遊技客側から見た場合には投資金額）を示す売上信号などを出力するように構成されている。尚、本発明でいう「遊技機側から出力される遊技信号」は、パチンコ遊技機１から間接的或いは直接的に出力される信号は勿論のこと、台間玉貸機２から出力される売上信号なども含む概念である。
【００２１】
呼出ランプユニット３は、複数の表示ランプ、例えば液晶パネルより成るデータ表示部、呼出ボタンなど（何れも符号なし）を備えた周知構成のもので、呼出ボタンの操作に応じた呼び出し状態の表示機能、対応するパチンコ遊技機１で発生した大当たりなどを表示する機能、パチンコ遊技機１での稼動データに基づいて作成した遊技客向けデータ（大当たりの発生回数など）を表示する機能などを備えている。
【００２２】
パチンコ遊技機１、台間玉貸機２、呼出ランプユニット３と信号の授受を行うように接続された中継装置４は、店内ＬＡＮ５を介して管理用コンピュータ６（遊技場用管理装置に相当）に接続されており、これにより管理用コンピュータ６は、遊技場内の全てのパチンコ遊技機１、台間玉貸機２、呼出ランプユニット３との間で各種信号及びデータの送受信を行い得るようになっている。尚、図示しないが、店内ＬＡＮ５には、周知構成の遊技場用端末装置（遊技客向けの種々のデータを表示するための集中情報公開端末（例えばデータロボ（登録商標））、遊技客の獲得パチンコ玉を計数するためのパチンコ玉計数機、景品交換に使用するためのＰＯＳ端末など）も接続される。
【００２３】
管理用コンピュータ６は、遊技場内の全部のパチンコ台１についての遊技データ（アウト玉数、セーフ玉数、差玉数、稼動率、出玉率、ベース、スタート数など）、並びに遊技場内の全部の台間玉貸機２についての貸出高データ（売上金額、割数など）を集計して格納するという周知のデータ集計機能を備えた構成のものであるが、本発明でいう受信手段、異常設定記憶手段、異常判定手段、要因設定記憶手段、動作制御手段、データ記憶手段、遅延手段、情報記憶手段、終了条件判定手段の機能を備えている。以下、これらの手段に関連した構成について説明する。
【００２４】
即ち、管理コンピュータ６は、各パチンコ遊技機１から中継装置４を通じて送信されてくるアウト信号、セーフ信号、スタート信号を遊技信号として受信し、その遊技信号に対応した遊技情報（アウト玉数、セーフ玉数、スタート数など）が異常であるか否かの判定を複数種類の点検項目について実施する構成となっている。この場合、管理用コンピュータ６は、上述のような複数種類の点検項目について、異常判定に必要な異常検出設定情報を、所定の遊技機グループ（パチンコ遊技機１を機種、島、タイプなどにより区分したグループ）毎に記憶している。
【００２５】
図２には、上記異常検出設定情報の具体例が示されており、以下これについて説明する。
この図２に示した異常検出設定情報において、点検項目つまり異常検出項目としては、「アウト点検」、「アウト超過点検」、「非稼動セーフ点検」、「スタート点検」、「スタート異常」、「セーフ点検」、「ベース異常」、「セーフ不正」、「大当たりセーフ点検」、「Ｔ１Ｙ異常（パンク）」、「Ｔ１Ｙ異常（警告）」、「ＴＳ異常」、「連続大当たり異常」の各項目が設定されている。また、各点検項目には下記（ａ）〜（ｇ）のような情報が記憶されている。
【００２６】
（ａ）項目情報…異常検出のために参照する遊技情報を示すもので、「検出値」は検出タイミングを計るための遊技情報（異常判定時期に関わる検出値に相当）、「判定値」は異常判定とするか否かの目安となる遊技情報（異常判定基準を特定可能な判定値に相当）である。尚、項目情報中の、「セーフ」はセーフ玉数、「アウト」はアウト玉数、「スタート」はスタート数、「タイマ」は本発明でいう遅延手段として機能する終了タイマの設定時間、「大当たり」は大当たり回数、「Ｔ１Ｙ」は１回の大当たり期間中の出玉数、「ＴＳ」は平均大当たり間スタート数を示す。
【００２７】
（ｂ）設定値…上記項目情報に係る具体的な数値を示すもので、遊技場管理者側で任意に設定可能な情報である。但し、「セーフ」、「アウト」は１０個単位、「タイマ」は秒単位で設定する。
（ｃ）対応記憶項目…管理コンピュータ６には、項目情報の更新状態を記憶するためのカウンタとして機能する記憶領域がパチンコ遊技機１毎に設けられており、各記憶領域のカウンタを区別するための名称（但し、後述するフローチャートでの説明を明確にするために付与した便宜上の名称であり、実際にはこのような名称が記憶されている訳ではない）である。
【００２８】
（ｄ）検出終了条件…対応する点検項目についての異常判定動作の終了基準（請求項２記載の発明でいう終了条件に相当）であり、このような終了基準が不要な点検項目については設定されない。尚、この検出終了条件に、遊技場従業員による認証操作（例えば周知のリモートコントローラからの信号送信操作）を加える構成としても良い。
（ｅ）要因点検項目…点検項目と対応付けた状態で予め設定された点検項目である要因点検項目を示すものである。尚、この要因点検項目は、当該要因点検項目に係る異常が発生した場合に、その異常発生を誘因として誤検出が行われることになる点検項目に対して設定されるものである。
【００２９】
（ｆ）タイマ…後述の説明にて機能が明らかとなる終了タイマ（遅延手段）の作動の有無を示す。尚、作動「有」の場合におけるタイマ動作（遅延動作）の時間は、アウト玉詰まりやセーフ玉詰まりなどの異常状態を解消するのに必要な時間を目安に設定されるもので、本実施例の場合、例えば１２０秒である。
（ｇ）判定基準…点検項目について異常が発生したか否かを決定するための判定基準を示す。この判定基準は、実際には点検項目毎の判定用プログラムとして記憶されるものであるが、図２では各判定用プログラムの内容を記載している。各点検項目についての判定基準は、以下（１）〜（１３）に示す通りである。
【００３０】
（１）アウト点検…「アウト点検セーフ」、「アウト点検スタート」の何れか一方が有効となるように予め設定されるものであり、「アウト点検セーフ」が有効化された状態では、セーフ玉数が設定された検出値（図２の例では３００個）以上あった場合でも、アウト玉数がない状態時に異常発生（アウト玉詰まり発生）と判定する。また、「アウト点検スタート」が有効化された状態では、スタート数が設定された検出値（図２の例では１５回）以上あった場合でも、アウト玉数がない状態時に異常（アウト玉詰まりや信号線の断線、コネクタ外れ、アウト玉カウンタの故障など）が発生したと判定する。尚、このアウト点検において、異常判定基準を特定可能な判定値に相当するのは、アウト玉数がない状態を検出するための値であり、「１」または「０」を設定すれば良い（アウト玉数がない状態＝アウト玉数が「１」未満またはアウト玉数が「０」）。
【００３１】
（２）アウト超過点検…検出タイマに設定された検出値（図２の例では６０秒）内のアウト玉数が、設定された判定値（図２の例では１１０個）以上の場合に異常（アウト玉カウンタの暴走などの異常）が発生したと判定する。
（３）非稼動セーフ点検…セーフ玉数が設定された検出値（図２の例では５００個）以上あった場合でも、アウト玉数がない状態時に異常（大当たり状態中等における特殊な遊技に起因して収集データが実態とずれる異常）が発生したと判定する。尚、この非稼動セーフ点検においても、異常判定基準を特定可能な判定値に相当するのは、アウト玉数がない状態を検出するための値であり、「１」または「０」を設定すれば良い。
【００３２】
（４）スタート点検…通常状態において、アウト玉数が設定された検出値（図２の例では５００個）に達するまでの期間におけるスタート数が、設定された判定値（図２の例では１０回）以下であった場合に異常（信号線の断線など）が発生したと判定する。
（５）スタート異常…通常状態において、スタート数が設定された検出値（図２の例では１００回）に達するまでの期間におけるアウト玉数が、設定された判定値（図２の例では６００個）以下であった場合に異常（スタート信号の暴走、スタート信号に係る不正行為など）が発生したと判定する。
【００３３】
（６）セーフ点検…通常状態において、アウト玉数が設定された検出値（図２の例では５００個）に達するまでの期間におけるセーフ玉数が、設定された判定値（図２の例では５０個）以下であった場合に異常（セーフ玉詰まりや信号線の断線、コネクタ外れ、セーフ玉カウンタの故障など）が発生したと判定する。
（７）ベース異常…通常状態において、アウト玉数が設定された検出値（図２の例では１０００個）に達するまでの期間におけるセーフ玉数が、設定された判定値（図２の例では８００個）以上であった場合に異常（所謂「ベース」が異常に高い状態）が発生したと判定する。
【００３４】
（８）セーフ不正…通常状態において、検出タイマに設定された検出値（図２の例では６０秒）内のセーフ玉数が、設定された判定値（図２の例では３００個）以上の場合に異常（セーフ玉カウンタの暴走、セーフ信号に係る不正行為など）が発生したと判定する。
（９）大当たりセーフ点検…大当たり期間中において、検出タイマに設定された検出値（図２の例では７５秒）内にセーフ玉数がない場合に異常（大当たり期間中の特殊な遊技に起因して収集データが実態とずれる異常）が発生したと判定する。尚、この大当たりセーフ点検において、異常判定基準を特定可能な判定値に相当するのは、セーフ玉数がない状態を検出するための値であり、「１」または「０」を設定すれば良い（セーフ玉数がない状態＝セーフ玉数が「１」未満またはセーフ玉数が「０」）。
【００３５】
（１０）Ｔ１Ｙ異常（パンク）…Ｔ１Ｙ（１回の大当たり期間中の出玉数＝当該大当たり期間中のセーフ玉数−当該大当たり期間中のアウト玉数）が、設定された判定値（図２の例では１２０個）以下の場合に異常（所謂パンク）が発生したと判定する。尚、このＴ１Ｙ異常（パンク）において、異常判定時期に関わる検出値に相当するものは特になく、大当たり信号が入力停止したことをもって異常判定時期としている。
（１１）Ｔ１Ｙ異常（警告）…Ｔ１Ｙが、設定された判定値（図２の例では２０００個）以上の場合に異常（大当たりに係る不正行為、パチンコ遊技機１の故障）が発生したと判定する。尚、このＴ１Ｙ異常（警告）においても、異常判定時期に関わる検出値に相当するものは特になく、大当たり信号が入力停止したことをもって異常判定時期としている。
【００３６】
（１２）ＴＳ異常…設定された検出値（図２の例では５回）分の大当たりに対応したＴＳ（平均大当たり間スタート数＝対応する期間におけるスタート数÷５）が、設定された判定値（図２の例では５０回）以下の場合に異常（不正行為）が発生したと判定する。尚、この「ＴＳ異常」の対応記憶項目に係る記憶領域に対応したＴＳスタート数カウンタ、ＴＳ除外スタート数カウンタのカウント値は、大当たりが発生する毎に履歴データとして記憶される。
（１３）連続大当たり異常…前回の大当たりからのスタート数が設定判定値（図２の例では２０回）以下の状態で発生した大当たりの回数が、設定された判定値（図２の例では５回：異常判定時期に関わる検出値も兼ねる）以上連続して発生した場合に異常（不正行為）が発生したと判定する。
【００３７】
図３〜図１０には、管理用コンピュータ６による制御内容のうち、図２の異常検出設定情報中に示した各点検項目に係る具体的な処理内容が示されており、以下これらについて個別に説明する。
【００３８】
＜１＞アウト点検処理ルーチン
図３のフローチャートには、点検項目「アウト点検」に係る処理ルーチンの内容が示されている。但し、この図３は、前述した「アウト点検セーフ」が有効化されている状態での処理内容である。
このアウト点検処理ルーチンにおいては、最初にアウト信号の受信の有無を判断する（ステップＡ１）。アウト信号の非受信状態では、セーフ信号の受信の有無を判断するためのステップＡ６へ移行するが、アウト信号を受信したときには、図２の異常検出設定情報「アウト点検」における項目情報中の検出値に対応したアウト点検セーフ数カウンタを初期化し（ステップＡ２）、この後に、アウト点検フラグが「１」であるか否かを判断する（ステップＡ３）。
【００３９】
この場合、アウト点検フラグは初期状態において「０」であり、この状態では、ステップＡ４、Ａ５をジャンプしてステップＡ６へ移行する。これに対して、アウト点検フラグが「１」であったときには、アウト点検タイマが停止中か否かを判断する（ステップＡ４）。尚、アウト点検タイマは、終了タイマに該当するもので、前述したようにタイマ動作時間が１２０秒に設定されたものであるが、初期状態では停止した状態にある。アウト点検タイマが停止中であったときには、これをスタートさせるステップＡ５を実行した後にステップＡ６へ移行し、アウト点検タイマが作動中であった場合には、当該ステップＡ５をジャンプしてステップＡ６へ移行する。
【００４０】
ステップＡ６において「ＮＯ」と判断される状態（セーフ信号の非受信状態）では、アウト点検タイマがタイムアップしたか否かを判断するためのステップＡ１４へ移行するが、セーフ信号を受信したときには、アウト点検セーフ数カウンタを「１」だけインクリメントする（ステップＡ７）。このインクリメント後には、アウト点検セーフ数カウンタのカウント値が、点検項目「アウト点検」について設定されている検出値（本実施例では「３００」）以上になったか否かを判断する（ステップＡ８）。
【００４１】
このステップＡ８で「ＮＯ」と判断される状態では、前記ステップＡ１４へ移行するが、「ＹＥＳ」と判断したとき、つまり、アウト信号の受信に応じたアウト点検セーフ数カウンタの初期化が行われることなく、そのカウント値が「３００」になった異常状態（セーフ数が設定された検出値（＝３００）以上あった場合でも、アウト玉数がない状態＝アウト玉詰まりや信号線の断線などが発生した状態に相当：以下、単に「アウト玉詰まり」とする）が発生したと想定されるときには、セーフ点検フラグが「０」であるか否かを判断する（ステップＡ９）。尚、ステップＡ６で「ＹＥＳ」と判断した状態が、点検項目「アウト点検」についての異常判定時期になったことを特定する動作に該当し、ステップＡ８での処理が、「アウト点検」についての異常が発生したか否かの判定動作に該当することになる。
【００４２】
上記セーフ点検フラグは、後述する図５の処理内容に関する説明から明らかとなるように、点検項目「アウト点検」について設定されている要因点検項目に対応した「セーフ点検」において異常発生（セーフ玉詰まりや信号線の断線などが発生した状態：以下、単に「セーフ玉詰まり」とする）と判定された状態で「１」にセットされるものである。
【００４３】
ステップＡ９において「ＹＥＳ」と判断した場合、つまり、セーフ玉詰まりが発生していない状態でアウト玉詰まりを検出した場合には、第１点検検出処理を実行する（ステップＡ１０）。この第１点検検出処理では、異常発生の判定動作に関係したアウト信号やセーフ信号の送信源となったパチンコ遊技機１においてアウト玉詰まりが発生していることを遊技場従業員へ知らせるための異常報知動作を行うと共に、異常発生履歴データを記憶する処理を行う。
【００４４】
具体的には、異常報知動作としては、例えば、当該パチンコ遊技機１に対応した呼出ランプユニット３や周知の島端ランプ（図示せず）を通じてアウト玉詰まりの発生を報知すると共に、必要に応じて店内放送や従業員が携帯するインカムなどを通じた音声報知を行う。また、管理用コンピュータ６において、アウト玉詰まりが発生したパチンコ遊技機１の台番号を付属モニタ６ａ（図１参照）によりポップアップ表示する構成、或いはそのような表示内容を図示しないプリンタを通じてプリントアウトする構成とすることもできる。さらに、台間玉貸機２の付属モニタ２ａでの表示により玉詰まりの発生を報知することもできる。
【００４５】
また、異常発生履歴データについては具体例を後述するが、例えば、異常発生時刻、異常発生した点検項目の種類（この場合「アウト点検」）、該当パチンコ遊技機１の台番号を基本データとして記憶し、この他、異常状態に係る具体的な数値データなどを必要に応じて記憶するものである。尚、このような数値データは、後述する「ベース異常」、「Ｔ１Ｙ異常（パンク）」、「Ｔ１Ｙ異常（警告）」などのように、異常発生時の詳細な情報を把握することが望ましい点検項目について記憶することになる。
【００４６】
第１点検検出処理ステップＡ１０の実行後には、前記アウト点検フラグを「１」にセットするステップＡ１１、前記アウト点検セーフ数カウンタの初期化ステップＡ１２を順次実行した後に判断ステップＡ１４へ移行する。
【００４７】
一方、前記ステップＡ９にて「ＮＯ」と判断した場合、つまり、セーフ玉詰まりが発生している状態でアウト玉詰まりを検出した場合には、第２点検検出処理を実行し（ステップＡ１３）、この後に前記カウンタ初期化ステップＡ１２を実行した後に判断ステップＡ１４へ移行する。上記第２点検検出処理では、上述したような異常報知動作を実行することなく、異常発生の経緯を把握可能な参考履歴データを記憶するという誤判定回避制御を行うものである。この参考履歴データの具体例については後述するが、例えば、第２点検検出処理に係るデータであることを示すフラグ、異常発生時刻、異常発生した点検項目の種類（この場合「アウト点検」）、該当パチンコ遊技機１の台番号を含む内容のものである。尚、第２点検検出処理ステップＡ１３においては、前記第１点検検出処理ステップＡ１０での異常報知動作と異なる態様の補助報知動作を行う構成としても良い。
【００４８】
ステップＡ１４において「ＮＯ」と判断される状態、即ち、アウト点検タイマがタイムアップしていない状態ではそのままステップＡ１へ戻るが、当該タイマがタイムアップした場合には、アウト点検フラグを「０」にリセットするステップＡ１５、「アウト点検」が要因点検項目として設定されている点検項目の対応記憶項目についての記憶領域（超過アウト数カウンタ、ベース点検アウト数カウンタなど：図２参照）を全て初期化するステップＡ１６を順次実行した後にステップＡ１へ戻る。
【００４９】
尚、図３は、「アウト点検セーフ」が有効化されている状態での処理内容であるが、「アウト点検スタート」が有効化されている状態では、セーフ玉詰まりを誘因としたアウト玉詰まりの誤検出を来たすことがないから、「アウト点検」の要因点検項目である「セーフ点検」を無視（適用対象から除外）した処理を行うことになる。つまり、アウト玉詰まりの検出が行われたときには、セーフ玉詰まりの発生の有無と関係なく、アウト玉詰まりが発生した旨を報知するための異常報知動作を実行すると共に、当該アウト玉詰まりに関する異常発生履歴データを記憶する処理を行うことになる。
【００５０】
＜２＞アウト超過点検処理ルーチン
図４のフローチャートには、点検項目「アウト超過点検」に係る処理ルーチンの内容が示されている。
このアウト超過点検処理ルーチンにおいては、最初にアウト信号の受信の有無を判断する（ステップＢ１）。アウト信号の非受信状態では、検出タイマがタイムアップしたか否かを判断するためのステップＢ１０へ移行するが、アウト信号を受信したときには、図２の異常検出設定情報「アウト超過点検」における項目情報中の判定値に対応した超過アウト数カウンタ（カウント値の初期値は「０」）を「１」だけインクリメントする（ステップＢ２）。
【００５１】
この後には、検出タイマが作動中か否かを判断し（ステップＢ３）、検出タイマが停止中であった場合には、これをスタートさせるステップＢ４を実行した後に、当該タイマがタイムアップしたか否かを判断するステップＢ１０へ移行する。尚、検出タイマに設定されているタイマ時間は、図２の異常検出設定情報「アウト超過点検」における検出値に設定された６０秒である。
【００５２】
一方、検出タイマが作動中であった場合には、超過アウト数カウンタのカウント値が、点検項目「アウト超過点検」について設定されている判定値（本実施例では「１１０」）以上になったか否かを判断する（ステップＢ５）。このステップＢ５で「ＮＯ」と判断される状態ではステップＢ１０へ移行するが、「ＹＥＳ」と判断したとき、つまり、検出タイマの作動期間内（６０秒間）において、超過アウト数カウンタのカウント値が「１１０」以上となった異常状態が発生したと想定されるときには、アウト点検フラグが「０」であるか否かを判断する（ステップＢ６）。尚、ステップＢ１、Ｂ３で順次「ＹＥＳ」と判断した状態が、点検項目「アウト超過点検」についての異常判定時期になったことを特定する動作に該当し、ステップＢ５での処理が、「アウト超過点検」についての異常が発生したか否かの判定動作に該当することになる。
【００５３】
上記アウト点検フラグは、前述したアウト点検処理ルーチン（図３参照）の処理内容に関する説明にて明らかなように、点検項目「アウト超過点検」について設定されている要因点検項目に対応した「アウト点検」において異常発生（アウト玉詰まり）と判定された状態で「１」にセットされるものである。
【００５４】
ステップＢ６において「ＹＥＳ」と判断した場合、つまり、アウト玉詰まりが発生していない状態でアウト超過異常（６０秒内のアウト玉数が１１０個以上になった状態）を検出した場合には、第１点検検出処理を実行する（ステップＢ７）。このステップＢ７では、前述した第１点検検出処理ステップＡ１０と同様の処理を行う。
【００５５】
第１点検検出処理ステップＢ７の実行後には、前記超過アウト数カウンタを初期化するステップＢ８を実行した後に判断ステップＢ１０へ移行する。これに対して、前記ステップＢ６にて「ＮＯ」と判断した場合、つまり、アウト玉詰まりが発生している状態でアウト超過異常を検出した場合には、第２点検検出処理を実行し（ステップＢ９）、この後に前記判断ステップＢ１０へ移行する。上記ステップＢ９では、前述した第２点検検出処理ステップＡ１３と同様の処理を行う。
【００５６】
ステップＢ１０において「ＮＯ」と判断される状態、即ち、検出タイマがタイムアップしていない状態ではそのままステップＢ１へ戻るが、当該タイマがタイムアップした場合には、超過アウト数カウンタを初期化するステップＢ１１を実行した後にステップＢ１へ戻る。
【００５７】
＜３＞非稼動セーフ点検処理ルーチン
点検項目「非稼動セーフ点検」に係る非稼動セーフ点検処理ルーチンは、前記アウト点検処理ルーチンを示す図３において、破線で囲った部分の処理ステップをスキップした内容であるため具体的な説明は省略する。尚、この非稼動セーフ点検処理ルーチンでは、図３におけるステップＡ２、Ａ７、Ａ８、Ａ１２でのセーフ数カウンタが、図２の異常検出設定情報「非稼動セーフ点検」における項目情報中の検出値に対応した非稼動セーフ数カウンタであること、同じく、第１点検検出処理ステップＡ１０、第２点検検出処理ステップＡ１３での処理内容が、「非稼動セーフ点検」に係る異常報知動作、異常発生履歴データ及び参考履歴データに対応したものになっていることは勿論である。
【００５８】
尚、この実施例では、「非稼動セーフ点検」に対応した要因点検項目として「セーフ点検」を設定する構成としたが、「アウト点検」を要因点検項目として設定する構成であっても良い。即ち、「アウト点検」によりアウト玉詰まりが検出された状態では、アウト信号が全く出力されなくなるので、これに起因して非稼動セーフ異常が発生したとの誤検出を行ってしまう可能性があるが、要因点検項目に「アウト点検」を設定しておけば、このような可能性を排除できることになる。
【００５９】
＜４＞スタート点検及びセーフ点検処理ルーチン
図５のフローチャートには、点検項目「スタート点検」及び点検項目「セーフ点検」に係る処理ルーチンの内容が示されている。
【００６０】
このスタート点検及びセーフ点検処理ルーチンにおいては、最初に判定値対応信号（スタート信号またはセーフ信号）の受信の有無を判断する（ステップＣ１）。判定値対応信号の非受信状態では、検出値対応信号であるアウト信号の受信の有無を判断するためのステップＣ８へ移行する。これに対して、判定値対応信号を受信したときには、図２の異常検出設定情報「スタート点検」及び「セーフ点検」における項目情報中の判定値に対応した点検スタート数カウンタ（初期値は「０」）またはセーフ点検セーフ数カウンタ（初期値は「０」）のうち、受信した判定値信号に対応したカウンタを「１」だけインクリメントするステップＣ２を実行し、この後に対応点検フラグ（スタート点検フラグまたはセーフ点検フラグ）が「１」であるか否かを判断する（ステップＣ３）。
【００６１】
この場合、対応点検フラグであるスタート点検フラグ及びセーフ点検フラグは初期状態において「０」であり、この状態では、ステップＣ４〜Ｃ７をジャンプしてステップＣ８へ移行する。これに対して、対応点検フラグの何れかが「１」であったときには、そのフラグに基づいて点検処理の対象（「スタート点検」及び「セーフ点検」の何れか）を判断する（ステップＣ４）。
【００６２】
点検処理の対象が「セーフ点検」であった場合には、初期状態では停止状態にあるセーフ点検タイマ（終了タイマに該当するもので、設定されているタイマ時間は１２０秒）が停止中であるか否かを判断する（ステップＣ５）。セーフ点検タイマが停止中であったときには、これをスタートさせるステップＣ６を実行した後にステップＣ８へ移行し、セーフ点検タイマが作動中であった場合には、ステップＣ６をジャンプしてステップＣ８へ移行する。また、ステップＣ４において点検処理の対象が「スタート点検」であると判断した場合には、スタート解除フラグを「１」にセットするステップＣ７を実行した後にステップＣ８へ移行する。
【００６３】
ステップＣ８において「ＮＯ」と判断される状態（アウト信号の非受信状態）では、点検処理の対象が「スタート点検」及び「セーフ点検」の何れかであるかを再判断するステップＣ１８へ移行するが、アウト信号を受信したときには、図２の異常検出設定情報「スタート点検」及び「セーフ点検」における項目情報中の検出値に対応したスタート点検アウト数カウンタ及びセーフ点検アウト数カウンタを「１」だけインクリメントする（ステップＣ９）。
【００６４】
このインクリメント後には、スタート点検アウト数カウンタ及びセーフ点検アウト数カウンタのカウント値が、点検項目「スタート点検」及び「セーフ点検」について設定されている検出値（本実施例では双方共に「５００」）以上であるか否かを各カウント値別に判断する（ステップＣ１０）。
【００６５】
このステップＣ１０で「ＮＯ」と判断される状態では、ステップＣ１８へ移行するが、「ＹＥＳ」と判断したとき、つまりアウト玉数が検出値（＝５００）に達したときには、判定値項目（点検スタート数及びセーフ点検セーフ数）にそれぞれに設定されている判定値との比較を行う（ステップＣ１１）。具体的には、点検スタート数カウンタのカウント値と点検項目「スタート点検」について設定されている判定値（本実施例では「１０」）との比較、並びに、セーフ点検セーフ数カウンタのカウント値と点検項目「セーフ点検」について設定されている判定値（本実施例では「５０」）との比較、をそれぞれ実施する。
【００６６】
次いで、上記比較結果に基づいて異常を検出したか否かの判断を行う（ステップＣ１２）。具体的には、点検スタート数カウンタのカウント値が判定値（＝１０）以下であった場合に、「スタート点検」に係る異常が発生したものと判断し、セーフ点検セーフ数カウンタのカウント値が判定値（＝３０）以下であった場合に、「セーフ点検」に係る異常が発生したものと判断する。
【００６７】
上記ステップＣ１２において異常なしと判断した場合には、検出値項目のためのスタート点検アウト数カウンタ及びセーフ点検アウト数カウンタの初期化、並びに判定値項目のための点検スタート数カウンタ及びセーフ点検セーフ数カウンタの初期化をそれぞれ実行し（ステップＣ１６）、この後にステップＣ１８へ移行する。
【００６８】
これに対して、ステップＣ１２において異常を検出した場合、つまり、アウト玉数が設定された検出値（＝５００個）に達するまでの期間におけるスタート数が、設定された判定値（＝１０回）以下となる異常状態、または、アウト玉数が設定された検出値（＝５００個）に達するまでの期間におけるセーフ数が、設定された判定値（＝３０個）以下となる異常状態が発生したと想定される場合には、アウト点検フラグが「０」であるか否かを判断する（ステップＣ１３）。尚、ステップＣ１０での処理が、点検項目「スタート点検」及び「セーフ点検」についての異常判定時期になったことを特定する動作に該当することになり、ステップＣ１１、Ｃ１２での動作が、当該「スタート点検」及び「セーフ点検」についての異常が発生したか否かの判定動作に該当することになる。
【００６９】
上記アウト点検フラグは、前述したように、点検項目「スタート点検」及び「セーフ点検」のそれぞれについて設定されている要因点検項目に対応した「アウト点検」において異常発生（アウト玉詰まり）と判定された状態で「１」にセットされるものである。
ステップＣ１３において「ＹＥＳ」と判断した場合、つまり、アウト玉詰まりが発生していない状態で「スタート点検」または「セーフ点検」に係る異常を検出した場合には、第１点検検出処理を実行する（ステップＣ１４）。このステップＣ１４では、前述した第１点検検出処理ステップＡ１０と同様の処理を行う。
【００７０】
第１点検検出処理ステップＣ１４の実行後には、異常発生した点検項目についての対応点検フラグ（スタート点検フラグまたはセーフ点検フラグ）を「１」にセットするステップＣ１５、前記カウンタ群初期化ステップＣ１６を順次実行した後に判断ステップＣ１８へ移行する。
【００７１】
一方、前記ステップＣ１３にて「ＮＯ」と判断した場合、つまり、アウト玉詰まりが発生している状態で「スタート点検」または「セーフ点検」に係る異常を検出した場合には、第２点検検出処理を実行し（ステップＣ１７）、この後に前記カウンタ群初期化ステップＣ１６を実行した後に判断ステップＣ１８へ移行する。上記ステップＣ１７では、前述した第２点検検出処理ステップＡ１３と同様の処理を行う。
【００７２】
ステップＣ１８において、点検処理の対象が「セーフ点検」であると判断した場合には、セーフ点検タイマがタイムアップしたか否かを判断し（ステップＣ１９）、タイムアップしていない状態ではそのままステップＡ１へ戻る。これに対して、セーフ点検タイマがタイムアップした場合には、セーフ点検フラグを「０」にリセットするステップＣ２０、「セーフ点検」が要因点検項目として設定されている点検項目の対応記憶項目についての記憶領域（アウト点検セーフ数カウンタ、非稼動セーフ数カウンタなど）を全て初期化するステップＣ２１を順次実行した後にステップＡ１へ戻る。
【００７３】
また、ステップＣ１８において、点検処理の対象が「スタート点検」であると判断した場合には、前記スタート解除フラグが「１」であるか否かを判断し（ステップＣ２２）、当該フラグが「０」の状態ではステップＣ１へ戻る。これに対して、スタート解除フラグが「１」の状態では、大当たり信号の受信開始の有無を判断する（ステップＣ２３）。大当たり信号を受信開始していない場合にはステップＣ１へ戻るが、受信開始した場合には、スタート点検フラグ及びスタート解除フラグを「０」にリセットするステップＣ２４を実行した後にステップＣ１へ戻る。
【００７４】
＜５＞スタート異常処理ルーチン
点検項目「スタート異常」に係るスタート異常処理ルーチンは、前記スタート点検及びセーフ点検処理ルーチンを示す図５において、破線で囲った部分の処理ステップをスキップした内容であるため具体的な説明は省略する。
【００７５】
但し、ステップＣ２、Ｃ１１、Ｃ１２での対応カウンタは、図２の異常検出設定情報「スタート異常」における項目情報中の判定値に対応したスタート異常アウト数カウンタに置き換えられる。また、ステップＣ８ではスタート信号の受信の有無を判断するように変更されると共に、ステップＣ９、Ｃ１０、Ｃ１６でのアウト数カウンタが、異常検出設定情報「スタート異常」における項目情報中の検出値に対応した異常スタート数カウンタに置き換えられる。これにより、ステップＣ９では異常スタート数カウンタを「１」だけインクリメントすることになり、ステップＣ１０では、異常スタート数カウンタのカウント値が、点検項目「スタート異常」について設定されている検出値（本実施例では「１００」）以上であるか否かを判断することになる。また、ステップＣ１１では、スタート異常アウト数カウンタのカウント値と点検項目「スタート異常」について設定されている判定値（本実施例では「６００」）との比較を実施することになる。これに伴い、ステップＣ１２では、スタート異常アウト数カウンタのカウント値が判定値（＝６００）以下であった場合に、「スタート異常」が発生したものと判断する。さらに、ステップＣ１６では、異常スタート数カウンタ及びスタート異常アウト数カウンタを初期化することになる。
尚、第１点検検出処理ステップＣ１４、第２点検検出処理ステップＣ１７での処理内容が、「スタート異常」に係る異常報知動作並びに異常発生履歴データに対応したものになっていることは勿論である。
【００７６】
＜６＞ベース異常処理ルーチン
点検項目「ベース異常」に係るベース異常処理ルーチンも、前記スタート点検及びセーフ点検処理ルーチンを示す図５において、破線で囲った部分の処理ステップをスキップした内容であるため具体的な説明は省略する。
【００７７】
但し、ステップＣ２、Ｃ１１、Ｃ１２での対応カウンタは、図２の異常検出設定情報「ベース異常」における項目情報中の判定値に対応したベースセーフ数カウンタに置き換えられる。また、ステップＣ９、Ｃ１０、Ｃ１６でのアウト数カウンタが、異常検出設定情報「ベース異常」における項目情報中の検出値に対応したベースアウト数カウンタに置き換えられる。これにより、ステップＣ９では、ベースアウト数カウンタを「１」だけインクリメントすることになり、ステップＣ１０では、ベースアウト数カウンタのカウント値が、点検項目「ベース異常」について設定されている検出値（本実施例では「１０００」）以上であるか否かを判断することになる。また、ステップＣ１１では、ベースセーフ数カウンタのカウント値と点検項目「ベース異常」について設定されている判定値（本実施例では「８００」）との比較を実施することになる。これに伴い、ステップＣ１２では、ベースセーフ数カウンタのカウント値が判定値（＝８００）以上であった場合に、「ベース異常」が発生したものと判断する。さらに、ステップＣ１３では、アウト点検フラグ及びセーフ点検フラグの少なくとも一方が「０」であるか否かを判断するように構成されるものであり、従って、アウト玉詰まり及びセーフ玉詰まりの一方または双方が発生している状態では、第２点検検出処理ステップＣ１７が実行されることになる。また、ステップＣ１６では、ベースアウト数カウンタ及びベースセーフ数カウンタを初期化することになる。
尚、第１点検検出処理ステップＣ１４、第２点検検出処理ステップＣ１７での処理内容が、「ベース異常」に係る異常報知動作並びに異常発生履歴データに対応したものになっていることは勿論である。
【００７８】
＜７＞セーフ不正検出処理ルーチン
図６のフローチャートには、点検項目「セーフ不正」に係る処理ルーチンの内容が示されている。
このセーフ不正検出処理ルーチンにおいては、最初にセーフ信号の受信の有無を判断する（ステップＤ１）。セーフ信号の非受信状態では、検出タイマがタイムアップしたか否かを判断するためのステップＤ１０へ移行するが、セーフ信号を受信したときには、図２の異常検出設定情報「セーフ不正」における項目情報中の判定値に対応した不正セーフ数カウンタ（カウント値の初期値は「０」）を「１」だけインクリメントする（ステップＤ２）。
【００７９】
この後には、検出タイマが作動中か否かを判断し（ステップＤ３）、検出タイマが停止中であった場合には、これをスタートさせるステップＤ４を実行した後に、当該タイマがタイムアップしたか否かを判断するステップＤ１０へ移行する。尚、検出タイマに設定されているタイマ時間は、図２の異常検出設定情報「セーフ不正」における検出値に設定された６０秒である。
【００８０】
一方、検出タイマが作動中であった場合には、不正セーフ数カウンタのカウント値が、点検項目「セーフ不正」について設定されている判定値（本実施例では「３００」）以上になったか否かを判断する（ステップＤ５）。このステップＤ５で「ＮＯ」と判断される状態では、ステップＤ１０へ移行するが、「ＹＥＳ」と判断したとき、つまり、検出タイマの作動期間内（６０秒間）において、不正セーフ数カウンタのカウント値が「３００」以上になった異常状態が発生したと想定されるときには、セーフ点検フラグが「０」であるか否かを判断する（ステップＤ６）。尚、ステップＤ１、Ｄ３で順次「ＹＥＳ」と判断した状態が、点検項目「セーフ不正」についての異常判定時期になったことを特定する動作に該当し、ステップＤ５での処理が、「セーフ不正」についての異常が発生したか否かの判定動作に該当することになる。
【００８１】
上記セーフ点検フラグは、前述したスタート点検及びセーフ点検処理ルーチン（図５参照）の処理内容に関する説明にて明らかなように、点検項目「セーフ不正」について設定されている要因点検項目に対応した「セーフ点検」において異常発生（セーフ玉詰まり）と判定された状態で「１」にセットされるものである。
【００８２】
ステップＤ６において「ＹＥＳ」と判断した場合、つまり、セーフ玉詰まりが発生していない状態でセーフ不正（６０秒内のセーフ玉数が３００個以上になった状態）を検出した場合には、第１点検検出処理を実行する（ステップＤ７）。このステップＤ７では、前述した第１点検検出処理ステップＡ１０と同様の処理を行う。
【００８３】
第１点検検出処理ステップＤ７の実行後には、前記不正セーフ数カウンタを初期化するステップＤ８を実行した後に判断ステップＤ１０へ移行する。これに対して、前記ステップＤ６にて「ＮＯ」と判断した場合、つまり、セーフ玉詰まりが発生している状態で「セーフ不正」に係る異常を検出した場合には、第２点検検出処理を実行し（ステップＤ９）、この後に前記判断ステップＤ１０へ移行する。上記ステップＤ９では、前述した第２点検検出処理ステップＡ１３と同様の処理を行う。
【００８４】
ステップＤ１０において「ＮＯ」と判断される状態、即ち、検出タイマがタイムアップしていない状態ではそのままステップＤ１へ戻るが、当該タイマがタイムアップした場合には、不正セーフ数カウンタを初期化するステップＤ１１を実行した後にステップＤ１へ戻る。
【００８５】
＜８＞大当たりセーフ点検処理ルーチン
図７のフローチャートには、点検項目「大当たりセーフ点検」に係る処理ルーチンの内容が示されている。
この大当たりセーフ点検処理ルーチンにおいては、大当たり信号を受信するまで待機し（ステップＥ１）、大当たり信号を受信した場合には、検出タイマをスタートさせるステップＥ２を実行した後に、セーフ信号の受信の有無を判断する（ステップＥ３）。尚、上記検出タイマに設定されているタイマ時間は、図２の異常検出設定情報「大当たりセーフ点検」における検出値に設定された７５秒である。
【００８６】
セーフ信号を受信したときには検出タイマをスタートさせるためのステップＥ４を実行した後に、当該タイマがタイムアップしたか否かを判断する（ステップＥ５）。これに対して、セーフ信号の非受信状態では、ステップＥ４をジャンプしてステップＥ５へ移行する。要するに、検出タイマは、大当たり信号の受信開始に応じてタイマ動作をスタートさせると共に、セーフ信号が入力される毎にタイマ動作を最初からやり直すものであり、従って、大当たり信号の受信に応じてタイマ動作を一旦開始した後には、セーフ信号の非受信状態が７５秒間継続したときに始めてタイムアップすることになる。
【００８７】
検出タイマがタイムアップしていない状態（ステップＥ５：ＮＯ）では、大当たり信号の受信が終了したか否かを判断するためのステップＥ１０へ移行するが、当該タイマがタイムアップしたときには、セーフ点検フラグが「０」であるか否かを判断する（ステップＥ６）。尚、ステップＥ５で「ＹＥＳ」と判断した状態が、点検項目「大当たりセーフ点検」についての異常判定時期になったことを特定する動作、並びに当該「大当たりセーフ点検」についての異常が発生したか否かの判定動作の双方に該当することになる。
上記セーフ点検フラグは、前述したように、点検項目「大当たりセーフ点検」について設定されている要因点検項目に対応した「セーフ点検」において異常発生（セーフ玉詰まり）と判定された状態で「１」にセットされるものである。
【００８８】
セーフ点検フラグが「０」であった場合（ステップＥ６：ＹＥＳ）、つまり、セーフ玉詰まりが発生していない状態で大当たりセーフ点検に係る異常（大当たり期間中における７５秒間においてセーフ玉数がない状態）を検出した場合には、第１点検検出処理を実行する（ステップＥ７）。このステップＥ７では、前述した第１点検検出処理ステップＡ１０と同様の処理を行う。また、セーフ点検フラグが「１」であった場合（ステップＥ６：ＮＯ）には、セーフ点検タイマがスタート前の状態であるか否かを判断し（ステップＥ８）、ここで「ＮＯ」と判断した場合、つまりセーフ点検タイマがタイマ動作をスタートさせた後であった場合にも第１点検検出処理ステップＥ６を実行する。尚、上記セーフ点検タイマは、前記スタート点検及びセーフ点検処理ルーチン（図５参照）で説明したように、セーフ点検フラグが「１」の状態でのセーフ信号の受信に応じて１２０秒間のタイマ動作をスタートさせる構成のものである。
【００８９】
第１点検検出処理ステップＥ７の実行後には、ステップＥ１０において大当たり信号の受信が終了したか否かを判断し、受信が継続している状態ではステップＥ２へ戻り、受信を終了したときにはステップＥ１へ戻る。
前記ステップＥ８でセーフ点検タイマがスタート前の状態にあると判断した場合、つまり、セーフ玉詰まりが発生し尚且つセーフ点検タイマがスタートしていない状態（セーフ信号を全く受信していない状態）で「大当たりセーフ点検」に係る異常を検出した場合には、第２点検検出処理を実行し（ステップＥ９）、この後に前記判断ステップＥ１０へ移行する。上記ステップＥ９では、前述した第２点検検出処理ステップＡ１３と同様の処理を行う。
【００９０】
＜９＞Ｔ１Ｙ異常検出処理ルーチン
図８のフローチャートには、点検項目「Ｔ１Ｙ異常（パンク）」及び点検項目「Ｔ１Ｙ異常（警告）」に係る処理ルーチンの内容が示されている。尚、この処理ルーチンには、図２の異常検出設定情報「Ｔ１Ｙ異常（パンク）」及び「Ｔ１Ｙ異常（警告）」における各項目情報中の判定値に対応させた状態で２つのカウンタ（Ｔ１Ｙアウト数カウンタ及びＴ１Ｙセーフ数カウンタ）が用意される。
【００９１】
Ｔ１Ｙ異常検出処理ルーチンにおいては、大当たり信号の受信を開始するまで待機し（ステップＦ１）。大当たり信号を受信開始したときには、Ｔ１Ｙアウト数カウンタ及びＴ１Ｙセーフ数カウンタを初期化する（ステップＦ２）。この後には、アウト信号の受信の有無及びセーフ信号の受信の有無を判断し（ステップＦ３、Ｆ４）、両信号の非受信状態では、大当たり信号の受信が終了したか否かを判断するためのステップＦ８へ移行する。
【００９２】
アウト信号を受信したときには、Ｔ１Ｙアウト数カウンタを「１」だけインクリメントするステップＦ５を実行した後にＴ１Ｙ算出ステップＦ７へ移行し、セーフ信号を受信したときには、Ｔ１Ｙセーフ数カウンタを「１」だけインクリメントするステップＦ６を実行した後にＴ１Ｙ算出ステップＦ７へ移行する。このＴ１Ｙ算出ステップＦ７では、Ｔ１Ｙアウト数カウンタ及びＴ１Ｙセーフ数カウンタの各カウント値に基づいてＴ１Ｙ（１回の大当たり期間中の出玉数）を算出する。
【００９３】
Ｔ１Ｙ算出ステップＦ７の実行後には、ステップＦ８において大当たり信号の受信が終了したか否かを判断し、受信が継続している状態ではステップＦ３へ戻る。これに対して、大当たり信号の受信を終了したときには、ステップＦ７で算出したＴ１Ｙが、「Ｔ１Ｙ異常（パンク）」について設定されているパンク判定値（本実施例では「１２０」）以内であるか否かを判断する（ステップＦ９）。Ｔ１Ｙがパンク判定値を超えていた場合には、当該Ｔ１Ｙが、「Ｔ１Ｙ異常（警告）」について設定されている警告判定値（本実施例では「２０００」）以上であるか否かを判断し（ステップＦ１０）、警告判定値未満であった場合にはステップＦ１へ戻る。
【００９４】
Ｔ１Ｙがパンク判定値以内であった場合（ステップＦ９：ＹＥＳ）には、セーフ点検フラグが「０」であるか否かを判断する（ステップＦ１１）。また、Ｔ１Ｙが警告判定値以上であった場合（ステップＦ１０：ＹＥＳ）には、アウト点検フラグ及びセーフ点検フラグが双方共に「０」であるか否かを判断する（ステップＦ１２）。
【００９５】
尚、ステップＦ８で「ＹＥＳ」と判断した状態が、点検項目「Ｔ１Ｙ異常（パンク）」及び「Ｔ１Ｙ異常（警告）」についての異常判定時期になったことを特定する動作に該当し、ステップＦ９での処理が、「Ｔ１Ｙ異常（パンク）」が発生したか否かの判定動作に該当し、ステップＦ１０での処理が、「Ｔ１Ｙ異常（警告）」が発生したか否かの判定動作に該当することになる。
【００９６】
上記セーフ点検フラグは、前述したように、点検項目「Ｔ１Ｙ異常（パンク）」及び「Ｔ１Ｙ異常（警告）」の双方について設定されている要因点検項目に対応した「セーフ点検」において異常発生（セーフ玉詰まり）と判定された状態で「１」にセットされるものである。また、上記アウト点検フラグは、前述したように、点検項目「Ｔ１Ｙ異常（警告）」について設定されている要因点検項目に対応した「アウト点検」において異常発生（アウト玉詰まり）と判定された状態で「１」にセットされるものである。
【００９７】
ステップＦ１１において「ＹＥＳ」と判断した場合、つまり、セーフ玉詰まりが発生していない状態でＴ１Ｙ異常（パンク）を検出した場合には、第１パンク検出処理（ステップＦ１３）を実行した後にステップＦ１へ戻る。このステップＦ１３では、前述した第１点検検出処理ステップＡ１０と同様の処理を行う。
【００９８】
これに対して、前記ステップＦ１１にて「ＮＯ」と判断した場合、つまり、セーフ玉詰まりが発生している状態でＴ１Ｙ異常（パンク）を検出した場合には、第２パンク検出処理（ステップＦ１４）を実行した後にステップＦ１へ戻る。上記ステップＦ１４では、前述した第２点検検出処理ステップＡ１３と同様の処理を行う。
【００９９】
一方、ステップＦ１２において「ＹＥＳ」と判断した場合、つまり、アウト玉詰まり及びセーフ玉詰まりが何れも発生していない状態でＴ１Ｙ異常（警告）を検出した場合には、第１警告検出処理（ステップＦ１５）を実行した後にステップＦ１へ戻る。このステップＦ１５では、前述した第１点検検出処理ステップＡ１０と同様の処理を行う。
【０１００】
一方、前記ステップＦ１２にて「ＮＯ」と判断した場合、つまり、アウト玉詰まり及びセーフ玉詰まりの少なくとも一方が発生している状態でＴ１Ｙ異常（警告）を検出した場合には、第２警告検出処理（ステップＦ１６）を実行した後にステップＦ１へ戻る。上記ステップＦ１６では、前述した第２点検検出処理ステップＡ１３と同様の処理を行う。
【０１０１】
＜１０＞ＴＳ異常検出処理ルーチン
図９のフローチャートには、点検項目「ＴＳ異常」に係る処理ルーチンの内容が示されている。尚、この処理ルーチンには、図２の異常検出設定情報「ＴＳ異常」における項目情報中の判定値に対応させた２つのカウンタ（ＴＳスタート数カウンタ及びＴＳ除外スタート数カウンタ）が用意されると共に、当該異常検出設定情報「ＴＳ異常」における項目情報中の検出値に対応させた２つのカウンタ（ＴＳ大当たり数カウンタ及びＴＳ除外大当たり数カウンタ）が用意される。
【０１０２】
ＴＳ異常検出処理ルーチンにおいては、まずスタート信号の受信の有無を判断し（ステップＧ１）。スタート信号を受信したときには、ＴＳスタート数カウンタを「１」だけインクリメントするステップＧ２を実行した後に、大当たり信号の受信の有無を判断するステップＧ３へ移行する。また、スタート信号の非受信状態では、ステップＧ２をジャンプしてステップＧ３へ移行する。この場合、ステップＧ３において大当たり信号の非受信状態と判断したときにはステップＧ１へ戻るようになっている。従って、パチンコ遊技機１で大当たり状態が発生するまでの期間は、スタート信号を受信する毎にＴＳスタート数カウンタのカウント値がインクリメントされることになる。
【０１０３】
大当たり信号を受信したとき（ステップＧ３：ＹＥＳ）には、ＴＳスタート数カウンタのカウント値（ＴＳスタート数）を、大当たり履歴データに記憶し（ステップＧ４）、この後に、ＴＳ大当たり数カウンタを「１」だけインクリメントする（ステップＧ５）。
次いで、スタート点検フラグが「０」であるか否かを判断する（ステップＧ６）。このスタート点検フラグは、前述したスタート点検及びセーフ点検処理ルーチン（図５参照）の処理内容に関する説明にて明らかなように、点検項目「ＴＳ異常」について設定されている要因点検項目に対応した「スタート点検」において異常が発生したと判定された状態で「１」にセットされ、その状態で大当たり信号を受信（大当たりが発生）した場合に「０」となるものである。
【０１０４】
ステップＧ６において「ＹＥＳ」と判断した場合、つまり、大当たり信号の受信時においてスタート点検に係る異常を検出していない状態にあった場合には、ＴＳ大当たり数カウンタのカウント値（ＴＳ大当たり数）からＴＳ除外大当たり数カウンタのカウント値（ＴＳ除外大当たり数）を減算した値が、点検項目「ＴＳ異常」について設定されている検出値（本実施例では「５」）以上になったか否かを判断するステップＧ７を実行する。
【０１０５】
これに対して、ステップＧ６において「ＮＯ」と判断した場合、つまり、大当たり信号の受信時においてスタート点検に係る異常が発生した状態にあった場合には、その時点でのＴＳスタートカウンタのカウント値（ＴＳスタート数）をＴＳ除外スタート数カウンタのカウント値（ＴＳ除外スタート数）として大当たり履歴データに記憶するステップＧ８、ＴＳ除外大当たり数カウンタを「１」だけインクリメントするステップＧ９を順次実行した後に、前記ＴＳ大当たり数が前記検出値（＝５）以上となったか否かを判断するステップＧ１０を実行する。
【０１０６】
尚、上記ステップＧ８においては、大当たり履歴データに対して、受信した大当たり信号に該当した大当たりが「除外大当たり」であることを示すフラグ情報も同時に記憶する構成となっている。具体的には、大当たり履歴データの記憶フォーマットは、例えば図１１に示すような形式とされる。この図１１は、１台のパチンコ遊技機１についての大当たり履歴データのうち本実施例に直接的に関係した部分のみを示すものであり、当該履歴データは、大当たり信号を受信する毎（パチンコ遊技機１で大当たりが発生する毎）に、通し番号が付された新規レコードが作成される。各レコードには、「除外大当たり」であるか否かを示すフラグ情報（図１１では「○」で示す）、ＴＳスタート数、ＴＳ除外スタート数の他に、各大当たりに係るアウト数、セーフ数、出玉数などの周知のデータが記憶される。
【０１０７】
図１１の例においては、第１、第３、第５レコードは、「除外大当たり」に対応したものでないためＴＳ除外スタート数は記憶されず、第２、第４レコードは、ステップＧ８の実行に応じて「除外大当たり」のフラグ情報が付されたレコードであるため、ＴＳスタート数及びＴＳ除外スタート数の双方が記憶されることになる。また、大当たり履歴データを図１１の例のように第５レコードまで記憶した時点では、ＴＳ大当たり数は「５」、ＴＳ除外大当たり数は「２」ということになる。
【０１０８】
ステップＧ７で「ＹＥＳ」と判断した場合、つまり、ＴＳ大当たり数からＴＳ除外大当たり数を差し引いた大当たり数が５回になった場合（スタート点検に係る異常を検出していない状態で発生した大当たりが合計５回になった状態に相当）には、ＴＳスタート数及びＴＳ大当たり数からＴＳ除外スタート数及びＴＳ除外大当たり数をそれぞれ除外した状態での過去５回分のＴＳ（＝平均大当たり間スタート数）を算出する（ステップＧ１１）。
【０１０９】
この後には、ステップＧ１１で算出したＴＳが、点検項目「ＴＳ異常」について設定されている判定値（本実施例では「５０」）以下であるか否かを判断し（ステップＧ１２）、「ＹＥＳ」の場合には、第１点検検出処理（ステップＧ１３）、ＴＳスタート数カウンタを初期化するステップＧ１７を順次実行した後にステップＧ１へ戻る。尚、ステップＧ１７では、前述した第１点検検出処理ステップＡ１０と同様の処理を行う。
【０１１０】
一方、前記ステップＧ７で「ＮＯ」と判断した場合（ＴＳ大当たり数からＴＳ除外大当たり数を差し引いた大当たり数が５回になっていない状態に相当）、並びに前記ステップＧ１２で「ＮＯ」と判断した場合には、前述した判断ステップＧ１０へ移行する。このステップＧ１０で「ＮＯ」と判断した場合（ＴＳ大当たり数が検出値（＝５）に達していない状態に相当）には、ＴＳスタート数カウンタを初期化する前記ステップＧ１７を実行してステップＧ１へ戻るが、「ＹＥＳ」と判断した場合には、過去５回分のＴＳを算出する（ステップＧ１４）。
【０１１１】
次いで、このステップＧ１４で算出したＴＳが、点検項目「ＴＳ異常」について設定されている判定値（＝５０）以下であるか否かを判断する（ステップＧ１５）。このステップＧ１５において「ＹＥＳ」と判断した場合には、第２点検検出処理（ステップＧ１６）、前記ステップＧ１７を順次実行した後にステップＧ１へ戻り、「ＮＯ」と判断した場合にはステップＧ１７のみを実行してステップＧ１へ戻る。上記ステップＧ１６では、前述した第２点検検出処理ステップＡ１３と同様の処理を行う。
尚、ステップＧ７、Ｇ１０で「ＹＥＳ」と判断した各状態が、点検項目「ＴＳ異常」についての異常判定時期になったことを特定する動作に該当し、ステップＧ１２、Ｇ１５での各処理が、「ＴＳ異常」が発生したか否かの判定動作に該当することになる。
【０１１２】
＜１１＞連続大当たり異常検出処理ルーチン
図１０のフローチャートには、点検項目「連続大当たり異常」に係る処理ルーチンの内容が示されている。尚、この処理ルーチンには、図２の異常検出設定情報「連続大当たり異常」における項目情報中の判定値に対応した第１連続大当たりカウンタ、第２連続大当たりカウンタ、連続スタート数カウンタが用意される。
【０１１３】
連続大当たり異常検出処理ルーチンにおいては、まずスタート信号の受信の有無を判断し（ステップＨ１）。スタート信号を受信したときには、連続スタート数カウンタを「１」だけインクリメントするステップＨ２を実行した後に、大当たり信号の受信の有無を判断するステップＨ３へ移行する。また、スタート信号の非受信状態では、ステップＨ２をジャンプしてステップＨ３へ移行する。この場合、ステップＨ３において大当たり信号の非受信状態と判断したときにはステップＨ１へ戻るようになっている。従って、パチンコ遊技機１で大当たり状態が発生するまでの期間は、スタート信号を受信する毎に連続スタート数カウンタのカウント値がインクリメントされることになる。
【０１１４】
大当たり信号を受信したとき（ステップＨ３：ＹＥＳ）には、スタート点検フラグが「０」であるか否かを判断する（ステップＨ４）。このスタート点検フラグは、前述したように、点検項目「連続大当たり異常」について設定されている要因点検項目に対応した「スタート点検」において異常発生と判定された状態で「１」にセットされるものである。
【０１１５】
ステップＨ４において「ＹＥＳ」と判断した場合、つまり、大当たり信号の受信時においてスタート点検に係る異常を検出していない状態にあった場合には、連続スタート数カウンタのカウント値（連続スタート数）が、点検項目「大当たり連続異常」について設定されているスタート数判定値（本実施例では「２０」）以下であるか否かを判断するステップＨ５を実行する。
【０１１６】
連続スタート数が判定値（＝２０）を超えていた場合（ステップＨ５：ＮＯ）には、第１連続大当たりカウンタ及び第２連続大当たりカウンタを初期化するステップＨ６、連続スタート数カウンタを初期化するステップＨ１５を順次実行した後にステップＨ１へ戻る。これに対して、連続スタート数が判定値（＝２０）以下であった場合（ステップＨ５：ＹＥＳ）には、第１連続大当たりカウンタ及び第２連続大当たりカウンタを「１」だけインクリメントする（ステップＨ７）。
【０１１７】
このインクリメント後には、第１連続大当たりカウンタのカウント値（第１連続大当たり数）が、点検項目「大当たり連続異常」について設定されている大当たり判定値（本実施例では「５」）以上であるか否かを判断する（ステップＨ８）。ここで「ＹＥＳ」と判断される状態は、「スタート点検」に係る異常発生していない状況下で、連続スタート数（＝前回の大当たりからのスタート回数）が２０回に達するまでの期間に発生した大当たりが５回以上連続した状態に相当するものであり、このような状態となったときには、第１点検検出処理である第１連続大当たり異常検出処理（ステップＨ９）を実行した後に、前記カウンタ初期化ステップＨ１５を実行してステップＨ１へ戻る。尚、ステップＨ９では、前述した第１点検検出処理ステップＡ１０と同様の処理を行う。
【０１１８】
一方、ステップＨ４において「ＮＯ」と判断した場合、つまり、大当たり信号の受信時においてスタート点検に係る異常が検出された状態にあった場合においても、連続スタート数が、点検項目「大当たり連続異常」について設定されているスタート数判定値（＝２０）以下であるか否かを判断する（ステップＨ１０）。
【０１１９】
連続スタート数が判定値（＝２０）を超えていた場合（ステップＨ１０：ＮＯ）には、第２連続大当たりカウンタを初期化するステップＨ１１、前記カウンタ初期化ステップＨ１５を順次実行した後にステップＨ１へ戻る。これに対して、連続スタート数が判定値（＝２０）以下であった場合（ステップＨ１０：ＹＥＳ）には、第２連続大当たりカウンタを「１」だけインクリメントする（ステップＨ１２）。
【０１２０】
このインクリメント後には、第２連続大当たりカウンタのカウント値（第２連続大当たり数）が、点検項目「大当たり連続異常」について設定されている大当たり判定値（＝５）以上であるか否かを判断する（ステップＨ１３）。尚、この判断ステップＨ１３は、前記ステップＨ８において「ＮＯ」と判断された場合（「スタート点検」に係る異常が発生していない状況下で、連続スタート数が２０回に達するまでの期間に発生した大当たりの連続回数が５回未満の状態）にも実行される。
【０１２１】
上記ステップＨ１３で「ＹＥＳ」と判断される状態は、「スタート点検」に係る異常が発生した状況下で、連続スタート数が２０回に達するまでの期間に発生した大当たりが５回以上連続した状態に相当するものであり、このような状態となったときには、第２点検検出処理である第２連続大当たり異常検出処理（ステップＨ１４）を実行した後に、前記カウンタ初期化ステップＨ１５を実行してステップＨ１へ戻る。上記ステップＨ１４では、前述した第２点検検出処理ステップＡ１３と同様の処理を行う。
【０１２２】
尚、ステップＨ３で「ＹＥＳ」と判断した状態（大当たりが発生した状態）が、点検項目「連続大当たり異常」についての異常判定時期になったことを特定する動作に該当し、ステップＨ８、Ｈ１３での各処理が、「連続大当たり異常」が発生したか否かの判定動作に該当することになる。
【０１２３】
要するに、上記＜１＞〜＜１１＞のような処理ルーチンでは、対応する要因点検項目において異常発生が検出されていない状態で異常発生の検出が行われたときに、異常が発生した旨を報知するための異常報知動作が行われると共に、当該検出した異常発生に関する異常発生履歴データが記憶されることになる。また、対応する要因点検項目において異常発生が検出され、正常に異常発生検出ができない状態で異常発生の検出が行われたときには、上記のような異常報知動作が抑制されるか、当該異常報知動作と異なる態様の補助報知動作が行われると共に、その異常発生の経緯を把握可能な参考履歴データが記憶されることになる。
【０１２４】
尚、要因点検項目として設定される「アウト点検」、「セーフ点検」、「スタート点検」では、対応する点検フラグ（アウト点検フラグ、セーフ点検フラグ、スタート点検フラグ）が「１」の状態にあること（つまり、異常（アウト玉やセーフ玉の詰まり、信号出力異常など）が発生した旨の判定が行われたこと）、並びに、アウト信号、セーフ信号、或いはスタート信号を受信（対応する検出終了条件が成立）したことの双方を前提条件として遅延動作を開始する（「アウト点検」、「セーフ点検」の場合はタイマ動作の開始、「スタート点検」については、大当たり信号の受信に伴い「０」となる「スタート解除フラグ」を「１」にセットする）ことになる。そして、対応する点検フラグが「１」にセットされた状態が、対応する検出終了条件が成立してから前記遅延動作が終了するまでの所定の遅延時間（「アウト点検」、「セーフ点検」の場合は対応する点検タイマに設定された時間（１２０秒）が経過するまで、「スタート点検」については、「スタート解除フラグ」が「０」となるまで）においても維持され、その遅延動作が終了し、対応する点検フラグが「０」に戻されたときには、要因点検項目として設定されている点検項目（「アウト点検」については「アウト超過点検」、「スタート点検」、「スタート異常」、「セーフ点検」、「ベース異常」、「Ｔ１Ｙ異常（パンク）」、「Ｔ１Ｙ異常（警告）」、「セーフ点検」については、「アウト点検」、「非稼動セーフ点検」、「ベース異常」、「セーフ不正」、「大当たりセーフ点検」、「Ｔ１Ｙ異常（パンク）、「Ｔ１Ｙ異常（警告）」）の対応記憶項目についての記憶領域が全て初期化されることになる。
【０１２５】
さて、上述した＜１＞〜＜１１＞の各処理ルーチンで記憶される異常発生履歴データは、例えば、点検項目毎のレコード群、或いはパチンコ遊技機１毎のレコード群として作成されるものであり、例えば図１２に示すようなフォーマットとされる。
即ち、図１２（ａ）は、点検項目「ベース異常」についての異常発生履歴データを示すものであり、各レコードは、「ベース異常」のタイトル（異常内容を特定可能な異常データに相当）と対応付けた状態で、パチンコ遊技機１の台番号、異常状態の発生時刻（実際には検出時刻）、点検対象であるベース（セーフ玉数÷アウト玉数）の値、「ベース異常」における検出値に該当したアウト玉数（＝１０００）、当日におけるパチンコ遊技機１毎の異常状態の発生回数を記録した形態となっている。また、図１２（ｂ）、（ｃ）は、パチンコ遊技機１毎の異常発生履歴データを示すものであり、「台毎異常履歴」のタイトル及びパチンコ遊技機１の台番号と対応付けられた各レコードは、異常状態の発生時刻と異常状態が発生した点検項目の種類とを記録した形態となっている。尚、図１２（ａ）同様に付随する遊技情報を記録する構成としても良い。
【０１２６】
上記図１２に示した異常発生履歴データは、実際に異常状態が発生した点検項目に係る異常データのみを記録したものであって、誤判定回避制御の対象となった点検項目、つまり、要因点検項目での異常発生を誘因として誤検出が行われた点検項目に係る異常データが除外された状態となるから、その異常発生履歴データに基づいた異常内容の解析を無駄なく且つ精度良く行うことが可能となる。
【０１２７】
また、＜１＞〜＜１１＞の各処理ルーチンで記憶される参考履歴データ（つまり、誤判定回避制御の対象となった点検項目に係る異常データを含む履歴データ）は、具体的に図示しないが、例えば図１２に示した異常発生履歴データと同様に、点検項目毎のレコード群、或いはパチンコ遊技機１毎のレコード群として作成されるものである。
【０１２８】
この場合、参考履歴データに係る異常データを前記異常発生履歴データ中に他の異常データと識別可能な状態で記憶するフォーマットとしても良い。具体的には、前記図１２に示した異常発生履歴データについて示す例えば図１３のようなフォーマットとすることができる。即ち、点検項目「ベース異常」についての異常発生履歴データ及びパチンコ遊技機１毎の異常発生履歴データを示す図１３（ａ）、（ｂ）、（ｃ）のように、各レコードに「誤検出」欄を付加し、この欄に対して対応レコードが参考履歴データに係る異常データであることを示すアスタリスクを記録する構成とすれば良い。
【０１２９】
このような構成とした場合には、実際に発生した異常内容、並びに、要因点検項目での異常発生を誘因として誤検出が行われた点検項目を含んだ詳細な異常発生状態の解析を行う場合に有益となる。因みに、図１３に示した異常発生履歴データから「誤検出」欄を省略した状態が、＜１＞〜＜１１＞のような処理を行わなかった場合の異常発生履歴データに相当することになるが、このようなデータでは誤検出された異常状態に係る記録がランダムに紛れ込むことになるため、各レコードが実際に発生した異常内容を示すのか或いは誤検出が行われた点検項目を示すのか区別できないため、各々のレコードについての検証が極めて煩雑になるものである。しかも、このような異常発生履歴データでは、本来重要視すべき異常状態の発生に対する注意度が低くなる可能性があり、データ管理上においても好ましくない。
【０１３０】
また、上述のような処理が行われる結果、異常発生履歴データに係る上述のような効果の他に、本発明の主たる目的に関連した以下のような効果が得られることになる。
即ち、例えば「セーフ点検」の実施によりセーフ玉詰まりが検出されて異常報知動作が行われた場合、その報知内容を認識した遊技場従業員は、セー玉補給装置での玉詰まりを解消するために現場へ出向くことになるが、その解消操作が行われたときには、それまで玉詰まり状態にあった大量のパチンコ玉に相当するセーフ信号が短時間のうちに管理用コンピュータ６へ送信されることになる。すると、管理用コンピュータ６が受信するアウト信号とセーフ信号との関係が、「アウト点検」に係る検出要件（図２の「判定基準」参照）を満たした状態になるため、管理用コンピュータ６においては、アウト玉詰まりが発生していない状態においても、アウト玉詰まりが発生したものと誤検出して異常報知動作を行ってしまうことになる。このような誤検出に基づいた異常報知動作が行われた場合には、「発明が解決しようとする課題」の項で説明したように、遊技場従業員の負担増を招く恐れが大きくなるという問題点が出てくる。
【０１３１】
これに対して、＜１＞のようなアウト点検処理ルーチンが行われた場合、「アウト点検」によるアウト玉詰まりの検出が、当該「アウト点検」の要因点検項目である「セーフ点検」によりセーフ玉詰まりが検出されている状態で行われたときには、上記のようなアウト玉詰まりに係る異常報知動作が抑制されるか、若しくは当該異常報知動作と異なる態様の補助報知動作が行われることになり、「アウト点検」に係る誤検出が防止されることになる。
【０１３２】
また、他の点検項目である「非稼動セーフ点検」、「セーフ不正」、「大当たりセーフ点検」、「Ｔ１Ｙ異常（パンク）についても、それらの要因点検項目である「セーフ点検」によりセーフ玉詰まりが検出されている状態で行われたときには、＜３＞、＜７＞、＜８＞、＜９＞の各処理ルーチンの実施に応じて上述同様に誤検出が防止されることになる。同様に点検項目「アウト超過点検」、「スタート点検」、「スタート異常」、「セーフ点検」については、それらの要因点検項目である「アウト点検」によりアウト玉詰まりが検出されている状態で行われたときには、＜２＞、＜４＞、＜５＞の各処理ルーチンの実施に応じて上述同様に誤検出が防止される。
【０１３３】
さらに、点検項目「ベース異常」、「Ｔ１Ｙ異常（警告）」については、それらの要因点検項目である「アウト点検」や「セーフ点検」によりアウト玉詰まりまたはセーフ玉詰まりの少なくとも一方が検出されている状態で行われたときには、＜６＞、＜９＞の各処理ルーチンの実施に応じて上述同様に誤検出が防止され、さらに、点検項目「ＴＳ異常」、「連続大当たり異常」については、それらの要因点検項目である「スタート点検」に係る異常状態が検出されている状態で行われたときには、＜１０＞、＜１１＞の各処理ルーチンの実施に応じて上述同様に誤検出が防止されることになる。
【０１３４】
以上のようにして各点検項目での異常状態発生についての誤検出が防止される結果、それら点検項目についての異常状態の検出精度が向上するようになり、これにより遊技場従業員が無意味な点検のために現場まで出向く事態の発生を抑制できるようになるなど、その負担軽減を実現可能になる。また、誤判定回避制御が終了したときには、所定の点検項目（特には、「アウト点検」、「セーフ点検」、「スタート点検」）についての異常判定動作を実行するための遊技情報を順次蓄積する記憶領域（各点検項目の対応記憶項目についての記憶領域）が初期化されるから、上記異常判定動作が誤って行われる事態を未然に防止できるようになる。
【０１３５】
また、要因点検項目について異常発生したと判定された状態においては、終了タイマに設定された所定時間（１２０秒）だけ誤判定回避制御を実行する状態が継続されることになる。これにより、要因点検項目に係る異常状態の解消操作を行っている期間においても誤判定回避制御の実行が保証されることになるから、点検項目についての異常状態の検出精度が向上するようになる。
【０１３６】
特に、＜１＞のアウト点検処理ルーチン、＜４＞のスタート点検及びセーフ点検処理ルーチンでは、前記終了タイマ（アウト点検タイマ、セーフ点検タイマ）によるタイマ動作を開始する条件として、「アウト点検」及び「セーフ点検」に係る異常判定動作に利用される遊技信号（アウト信号、セーフ信号）の受信に応じて当該異常判定動作の終了条件が成立したことが前提となるから、結果的に、点検項目についての異常状態の検出精度を一段と向上させ得るようになる。
【０１３７】
（その他の実施の形態）
本発明は上記し且つ図面に示した実施例に限定されるものではなく、例えば以下に述べるような変形或いは拡大が可能である。
例えば、＜１＞のアウト点検処理ルーチンでは、アウト点検タイマがタイムアップしたときに、「アウト点検」が要因点検項目として設定されている点検項目の対応記憶項目についての記憶領域（超過アウト数カウンタ、ベース点検アウト数カウンタなど）を全て初期化する構成としたが、各々の「点検項目」の対応記憶項目についての記憶領域を、「連続大当たり異常」のように第１点検検出処理用と第２点検検出処理用とに分け、第１点検検出処理用のもののみを初期化する構成としても良い。
【０１３８】
要因点検項目に関して設定される点検フラグ（セーフ点検フラグ、アウト点検フラグ、スタート点検フラグ）が「１」の場合に、対応記憶項目についての記憶領域を更新しないように構成しても良い。また、上述のように対応記憶項目についての記憶領域を第１点検検出処理用と第２点検検出処理用とに分け、第２点検検出処理用のもののみを初期化する構成としても良い。さらに、セーフ点検タイマやアウト点検タイマを含む終了タイマを、異常状態が発生した旨の判定を行った時点からスタートさせる構成としても良い
参考履歴データは必要に応じて記録すれば良いものである。つまり、各処理ルーチンにおける第２点検検出処理ステップ（Ｔ１Ｙ異常検出処理ルーチンにおいては第２パンク検出処理ステップ及び第２警告検出処理ステップ、連続大当たり異常検出処理ルーチンにおいては第２連続大当たり異常検出処理ステップ）は、必要に応じて実行すれば良い。
【０１３９】
「スタート点検」に係る異常状態の解消時には、「スタート点検」が要因点検項目とされている点検項目（「ＴＳ異常」、「連続大当たり異常」）の対応記憶項目についての記憶領域を初期化しない構成としたが、初期化する構成としても良い。但し、履歴データとして記憶する必要があるスタート数や大当たり回数に係る記憶領域は初期化しないことが望ましい。
【０１４０】
点検項目とは異なる他の点検項目を要因点検項目として設定する構成としたが、同一の点検項目を要因点検項目として設定する構成としても良い。例えば、「アウト点検」についての要因点検項目を当該「アウト点検」に設定すれば、アウト玉詰まりの検出状態が頻発する事態を防止できるようになる。
【０１４１】
パチンコ遊技機１に、特定の入賞口への入賞率が高まるという所謂時短状態や、大当たり確率が高くなる所謂確率変動状態が設定されていた場合には、前記実施例のような異常検出設定情報では対処し切れないので、これに合わせた異常検出設定情報を記憶することになる。但し、この場合には、管理用コンピュータ６側でパチンコ遊技機１の状態を判定するための遊技信号を受信する必要がある。
【０１４２】
点検項目に係る判定値を複数段階に設定し、その複数段階の判定値毎に判定結果を出力する構成としても良い。具体的には、例えば「Ｔ１Ｙ異常（警告）」において、判定値を「１９００」及び「２０００」の２段階に設定し、２０００＞Ｔ１Ｙ≧１９００の場合にＴ１Ｙ異常（注意）異常判定を行い、Ｔ１Ｙ≧２０００の場合にＴ１Ｙ（警告）異常判定を行う構成とするができる。
【０１４３】
終了タイマのタイマ動作時間は、アウト玉詰まりやセーフ玉詰まりなどの異常状態を解消するのに必要な時間を目安に設定されるものであり、従って、回収パチンコ玉を一時的に貯留するアウトボックス（回収箱）の容量の大小などに応じて点検項目毎に適宜に変更することになる。また、終了タイマは必要に応じて設ければ良い。
【０１４４】
図１３に示した異常発生履歴データにおいては、参考履歴データに係る異常データを他の異常データと区別するために、各レコードに「誤検出」欄を付加してアスタリスクを記録する構成としたが、当該レコードの反転表示や表示色の変更などにより他レコードと区別可能な状態とすることにより、「誤検出」欄を不要にする構成も可能である。
【０１４５】
また、アウト信号やセーフ信号について、１玉１パルス出力を前提とした例示をしたが、１玉１０パルス出力などの信号出力形態であっても良い。パチンコ遊技機に限らず、スロットマシンを管理用コンピュータ６による管理対象とすることができる。また、店内ＬＡＮに接続された呼出ランプユニット３や中継装置４などの端末装置に、ＣＰＵなどを含んで構成された制御回路を内蔵し、これら呼出ランプユニットや中継装置４によって、管理用コンピュータ６での処理機能の一部を肩代わりする構成としても良い。即ち、本発明による遊技場用管理装置の概念は、それらの端末装置を含めた広義の管理装置を意味するものである。
【図面の簡単な説明】
【０１４６】
【図１】本発明の一実施例を示す遊技システムの全体構成図
【図２】異常検出設定情報の具体例説明図
【図３】管理用コンピュータによる制御内容を示すフローチャート（その１）
【図４】管理用コンピュータによる制御内容を示すフローチャート（その２）
【図５】管理用コンピュータによる制御内容を示すフローチャート（その３）
【図６】管理用コンピュータによる制御内容を示すフローチャート（その４）
【図７】管理用コンピュータによる制御内容を示すフローチャート（その５）
【図８】管理用コンピュータによる制御内容を示すフローチャート（その６）
【図９】管理用コンピュータによる制御内容を示すフローチャート（その７）
【図１０】管理用コンピュータによる制御内容を示すフローチャート（その８）
【図１１】大当たり履歴データのフォーマット例を示す図
【図１２】異常発生履歴データのフォーマット例を示す図
【図１３】異常発生履歴データの他のフォーマット例を示す図
【符号の説明】
【０１４７】
１はパチンコ遊技機、１ａは盤面（遊技領域）、１ｂはスタート入賞口（始動口）、１ｃは大入賞口（役物）、２は台間玉貸機、３は呼出ランプユニット、６は管理用コンピュータ（遊技場用管理装置、受信手段、異常設定記憶手段、異常判定手段、要因設定記憶手段、動作制御手段、データ記憶手段、遅延手段、情報記憶手段、終了条件判定手段）を示す。
【図１】
0005057456.tif 000002
【図２】
0005057456.tif 000003
【図３】
0005057456.tif 000004
【図４】
0005057456.tif 000005
【図５】
0005057456.tif 000006
【図６】
0005057456.tif 000007
【図７】
0005057456.tif 000008
【図８】
0005057456.tif 000009
【図９】
0005057456.tif 000010
【図１０】
0005057456.tif 000011
【図１１】
0005057456.tif 000012
【図１２】
0005057456.tif 000013
【図１３】
0005057456.tif 000014